(57)【要約】【課題】カーテンレールを本体部から外れにくくすると共に、本体部の強度を向上させ、また、Ｌ字型の連結具が不要であって組立が容易な組立式個室を提供する。【解決手段】組立式個室１は、ダンボール板の折り曲げにより平面視略コの字形状をなし、前方が開口した本体部１０と、本体部１０の開口の両側の上端部に配置され、カーテン４が吊り下げられるカーテンレール３とを備えている。本体部１０の開口の両縁部には、側壁１０ａ、１０ｃの前端部を上端から下端に跨って筒状に折り曲げることで補強部１６が形成されており、左右の補強部１６の対向する面の上端には、溝部１８が形成されている。カーテンレール３は、左右の溝部１８内にその上方より挿入され、溝部１８の幅よりも大きい幅を有する左右の先端部が、補強部１６の内側に配置されている。【選択図】図１
0003180324.tif 000002
【実用新案登録請求の範囲】
【請求項１】
ダンボール板の折り曲げにより平面視略コの字形状をなし、前方が開口した本体部と、
前記本体部の前記開口の両側の上端部に配置され、カーテンが吊り下げられるカーテンレールとを備え、
前記本体部の前記開口の両縁部には、左右側壁の前端部を上端から下端に跨って筒状に折り曲げることで補強部が形成されており、
左右の前記補強部の対向する面の上端には、溝部が形成されており、
前記カーテンレールは、左右の前記溝部内にその上方より挿入され、前記溝部の幅よりも大きい幅を有する左右の先端部が、前記補強部の内側に配置されていることを特徴とする組立式個室。
【請求項２】
ダンボール板からなる天井板を備え、
前記天井板は、前記本体部の左右側壁の上端との係合により当該上端間に架設されていることを特徴とする請求項１に記載の組立式個室。
【請求項３】
前記天井板は、左右両端に、前記本体部の左右側壁の上端が入り込むスリットを有する突出部が切起こしにより形成され、
前記本体部は、左右側壁の上端に、前記突出部の基部が入り込むスリットが形成されていることを特徴とする請求項２に記載の組立式個室。
【請求項４】
前記天井板と、前記本体部の後方側壁の上端または前記カーテンレールの少なくとも何れか一方との間に隙間が形成されていることを特徴とする請求項２または３に記載の組立式個室。
【請求項５】
前記本体部は、複数枚のダンボール板を連結すると共に、前記ダンボール板を連結部分を避けた位置で折り曲げ、平面視コの字形状に形成されていることを特徴とする請求項１〜４のいずれか１項に記載の組立式個室。
【考案の詳細な説明】
【技術分野】
【０００１】
本考案は、ダンボール板を用いて形成された本体部とカーテンレールとを有する組立式個室に関する。
【背景技術】
【０００２】
従来から、例えば災害時の共同避難場所などにおいて、更衣所やトイレなどのプライバシー空間を確保するための臨時設備として、ダンボール板を用いた組立式の建屋が用いられている。
【０００３】
例えば、特許文献１の図１６〜図１９に示される組立式の更衣室は、プラスチック製のダンボール板からなる３枚の平板状側壁を、連結ベルト及び補強フレーム等の複数種類の連結具を用いて、平面視略コの字状に連結して形成された本体部と、本体部の開口を開閉するためのカーテンが吊り下げられたカーテンフレーム（カーテンレール）とを備えている。カーテンフレームは、カーテンが吊り下げられる直線状フレームと、直線状フレームの両端部に連結されたＬ字状の嵌合用フレームとで構成されている。嵌合用フレームは、下側が開口した断面コの字状に形成されており、この嵌合用フレームの内側に、側壁の開口側端部の上端部を嵌合させることで、カーテンフレームは本体部に取り付けられている。
【先行技術文献】
【特許文献】
【０００４】
【特許文献１】特許第４１６７２５８号公報
【考案の概要】
【考案が解決しようとする課題】
【０００５】
しかしながら、特許文献１の組立式更衣室では、カーテンフレームと本体部との取付構造は、側壁の開口側端部の上端部に、Ｌ字状の嵌合用フレームの一端を嵌合させただけであるため、カーテンをカーテンフレームに直交する方向に更衣室の外側に向かって引っ張ると、カーテンフレームが本体部から外れる場合がある。
【０００６】
また、カーテン使用時には、カーテンフレームが設置される側壁の開口側端部には大きな負荷がかかるため、側壁を構成するダンボール板の強度が低いと、本体部の両側の側壁がたわんだり折れ曲がったりする場合がある。
【０００７】
さらに、本体部の角部は、平板状側壁の端部同士を突き合わせて形成されているため、角部を直角に保持するために（即ち、本体部を平面視略コの字形状に保持するために）、角部にＬ字状の補強フレームを取り付ける必要があり、複数種類の連結具が必要であった。
【０００８】
そこで、本考案は、カーテンレールが本体部から外れにくく、且つ、本体部の強度を向上させることができ、また、本体部を平面視略コの字形状に保持するためのＬ字状の連結具が不要な組立式個室を提供することを目的とする。
【課題を解決するための手段及び考案の効果】
【０００９】
本考案の組立式個室は、ダンボール板の折り曲げにより平面視略コの字形状をなし、前方が開口した本体部と、前記本体部の前記開口の両側の上端部に配置され、カーテンが吊り下げられるカーテンレールとを備え、前記本体部の前記開口の両縁部には、左右側壁の前端部を上端から下端に跨って筒状に折り曲げることで補強部が形成されており、左右の前記補強部の対向する面の上端には、溝部が形成されており、前記カーテンレールは、左右の前記溝部内にその上方より挿入され、前記溝部の幅よりも大きい幅を有する左右の先端部が、前記補強部の内側に配置されていることを特徴とする。
【００１０】
この構成によると、本体部の開口の両縁部を構成する筒状の補強部の上端に溝が形成されており、この溝部内に、カーテンレールの両端付近が挿入されている、また、カーテンレールの左右両端は、溝部の幅よりも大きい幅であって、補強部の内側に配置されている。そのため、カーテンを前後方向に引っ張っても、カーテンレールは溝部から抜けることがなく、本体部から外れるのを防止できる。
また、補強部は、ダンボール板を筒状に折り曲げることで形成されているため、強度が高くなっている。カーテンレールはこの補強部の上端部に設置されているため、カーテン使用時にカーテンレールに大きい負荷がかかっても、本体部がたわんだり折れ曲がったりするのを防止できる。
また、本体部の角部は、ダンボール板を折り曲げることで形成されているため、本体部には開口が広がろうとする力が働くが、開口の両縁部がカーテンレールで連結されているため、本体部を平面視略コの字形状に保持することができる。したがって、本体部の角部にＬ字状の連結具を取り付けることなく、本体部の角部を略直角に保持することができる。
【００１１】
また、本考案の組立式個室は、ダンボール板からなる天井板を備え、前記天井板は、前記本体部の左右側壁の上端との係合により当該上端間に架設されていることが好ましい。この構成によると、上方から視線を天井板によって遮断できる。また、天井板が本体部の左右側壁に連結されていることにより、本体部を平面視略コの字形状により確実に保持できる。
【００１２】
また、本考案の組立式個室では、前記天井板は、左右両端に、前記本体部の左右側壁の上端が入り込むスリットを有する突出部が切起こしにより形成され、前記本体部は、左右側壁の上端に、前記突出部の基部が入り込むスリットが形成されていることが好ましい。この構成によると、連結具を用いることなく、天井板を本体部に取り付けることができる。
【００１３】
また、本考案の組立式個室は、前記天井板と、前記本体部の後方側壁の上端または前記カーテンレールの少なくとも何れか一方との間に隙間が形成されていることが好ましい。この構成によると、天井板は、本体部によって形成される空間の一部分のみを覆っているため、天井板によって目隠しをしつつ、天井板で覆われていない部分から個室内に光を採り込むことができる。
【００１４】
また、本考案の組立式個室では、前記本体部は、複数枚のダンボール板を連結すると共に、前記ダンボール板を連結部分を避けた位置で折り曲げ、平面視コの字形状に形成されていることが好ましい。本体部を複数のダンボール板で構成することにより、ダンボール板１枚当たりの大きさを小さくでき、取り扱いが容易になるとともに、大きな金型や製造装置を必要とすることがない等製造上も好ましいものとなる。
【図面の簡単な説明】
【００１５】
【図１】本考案の実施形態に係る組立式個室の斜視図である。
【図２】本体部の斜視図である。
【図３】本体部の展開平面図である。
【図４】天井板の組み立て手順を示す斜視図である。
【図５】組立式個室の分解斜視図である。
【考案を実施するための形態】
【００１６】
以下、本考案の実施の形態について説明する。
図１に示すように、本実施形態の組立式個室１は、紙製またはプラスチック製のダンボール板で形成された本体部１０及び天井板２と、カーテン４が吊り下げられるカーテンレール３とで構成される。組立式個室１は、例えば、災害時の避難場所に設置されて、更衣室として使用される。以下、図１に示す前後左右方向を用いて、組立式個室１について説明する。
【００１７】
図２に示すように、本体部１０は、上方から見てコの字状に配置された３枚の側壁１０ａ、１０ｂ、１０ｃからなる。本体部１０は、前方が開口した空間を形成している。図３に示すように、本体部１０は、それぞれ１枚のダンボール板からなる第１板部材１１と第２板部材１２とを連結して折り曲げることで形成されている。
【００１８】
第２板部材１２は、右側壁１０ｃと後方側壁１０ｂを有しており、右側壁１０ｃと後方側壁１０ｂの境界となる折り目１２ａに沿って直角に折り曲げられる。第１板部材１１は、左側壁１０ａと、第２板部材１２の後方側壁１０ｂに重ね合わされる重合部１１ａとを有しており、左側壁１０ａと重合部１１ａの境界となる折り目１１ｂに沿って直角に折り曲げられる。
【００１９】
重合部１１ａには、複数の連結孔１３ａが上下に並んで形成されている。また、第２板部材１２は、重合部１１ａの連結孔１３ａと対応する位置に、連結孔１３ｂを有する。重合部１１ａと第２板部材１２の端部とを重ね合わせた状態で、連結孔１３ａ、１３ｂに挿通される連結具５によって、第１板部材１１と第２板部材１２は連結されている。
【００２０】
左右側壁１０ａ、１０ｃの上端には、それぞれ、上下方向に延びる２つのスリット１４が形成されている。このスリット１４には、天井板２の後述する突出部２ｃが挿入される。また、左右側壁１０ａ、１０ｃの前端部は、それぞれ、上下方向に延びる４つの折り目１５ａ〜１５ｄに沿って折り曲げられて、矩形筒状の補強部１６を構成している。
【００２１】
補強部１６を構成する４面のうち、側壁１０ａ、１０ｃの本体部分（側壁１０ａ、１０ｃのうち補強部１６を除く部分）に接する部分を、壁部１６ａとする。補強部１６の壁部１６ａには、複数の連結孔１７ａが形成されている。また、側壁１０ａ、１０ｃの本体部分の連結孔１７ａに対応する位置には、連結孔１７ｂが形成されている。連結孔１７ａ、１７ｂに取り付けられた連結具５によって、補強部１６の壁部１６ａは、側壁１０ａ、１０ｃの本体部分に連結されている。
【００２２】
補強部１６の壁部１６ａの上端部（図３中の折り目１５ｅよりも上方の部分）は、補強部１６の内側に向かって折り曲げられており、補強部１６の壁部１６ａと対向する面に接触または近接している。これにより、補強部１６の上端部は、力を受けても角部を直角に保持できる。
【００２３】
補強部１６のうち壁部１６ａと対向する壁部の上端には、上下に延びる２本の切れ目１５ｆが形成されており、この２本の切れ目１５ｆの間の部分を補強部１６の内側に向かって折り曲げることで、溝部１８が形成されている。したがって、２つの補強部１６の対向する面の上端には、それぞれ溝部１８が形成されている。
【００２４】
天井板２は、本体部１０の左右側壁１０ａ、１０ｃの上端に架設されている。天井板２は、１枚の略矩形状のダンボール板によって形成されている。図４に示すように、天井板２の４隅には、切れ目２ａと折り目２ｂによる切起こしによって、突出部２ｃが形成されている。突出部２ｃには、スリット２ｄが形成されている。図１及び図５に示すように、突出部２ｃのスリット２ｄと本体部１０のスリット１４とを係合させることで、天井板２は本体部１０に取り付けられている。突出部２ｃのスリット２ｄには、本体部１０のスリット１４より下側の部分が挿入される。
【００２５】
天井板２の前後方向長さは、本体部１０の前後方向長さよりも短く、天井板２は、本体部１０の左右側壁１０ａ、１０ｃの前後方向略中央部に配置されている。そのため、天井板２の後端と後方側壁１０ｂとの間、および、天井板２の前端とカーテンレール３との間には、隙間が形成されている。つまり、天井板２は、本体部１０によって形成される空間の一部分のみを覆っている。
【００２６】
カーテンレール３は、本体部１０の２つの補強部１６の上端に取り付けられている。カーテンレール３には、カーテン４が移動可能に吊り下げられる。本体部１０の開口はカーテン４により開閉される。図５に示すように、カーテンレール３は、断面円形の棒部材３ａと、棒部材３ａの両端部に取り付けられたＴ字状の端末具３ｂとで構成されている。なお、図５では、カーテン４を省略して表示している。
【００２７】
端末具３ｂのうち棒部材３ａと同一方向に延びる部分（または棒部材３ａの端部）は、補強部１６の溝部１８に配置されている。これにより、カーテンレール３は本体部１０に取り付けられている。また、端末具３ｂのうち棒部材３ａと直交する方向に延びる部分は、補強部１６の内側に配置されている。端末具３ｂのうち棒部材３ａと直交する方向に延びる部分の長さは、溝部１８の幅よりも大きいため、カーテンレール３が補強部１６から外れるのを防止できる。従って、カーテンレール３の利用により本体部１０の平面視略コの字形状を保持できる。
【００２８】
本実施形態の組立式個室１では、本体部１０の開口の両縁部を構成する筒状の補強部１６の上端に溝部１８が形成されており、この溝部１８内に、カーテンレール３の両端付近が挿入されている。また、カーテンレール３の左右両端は、溝部１８の幅よりも大きい幅であって、補強部１６の内側に配置されている。そのため、カーテン４を前後方向に引っ張っても、カーテンレール３は溝部１８から抜けることがなく、本体部１０から外れるのを防止できる。
【００２９】
また、補強部１６は、ダンボール板を筒状に折り曲げることで形成されているため、強度が高くなっている。カーテンレール３はこの補強部１６の上端部に設置されているため、カーテン使用時にカーテンレール３に大きい負荷がかかっても、本体部１０がたわんだり折れ曲がったりするのを防止できる。
【００３０】
また、本体部１０の角部は、ダンボール板を折り曲げることで形成されているため、本体部１０には開口が広がろうとする力が働くが、開口の両縁部がカーテンレール３で連結されているため、本体部１０を平面視略コの字形状に保持することができる。したがって、本体部１０の角部にＬ字状の連結具を取り付けることなく、本体部１０の角部を略直角に保持することができる。
【００３１】
また、本実施形態の組立式個室１は、天井板２を有しており、この天井板２は、本体部１０によって形成される空間の一部分のみを覆っている。そのため、天井板２によって目隠しをしつつ、天井板２で覆われていない部分から個室内に光を採り込むことができる。
また、天井板２は、本体部１０の左右側壁１０ａ、１０ｃに連結されているため、本体部１０を平面視略コの字形状により確実に保持できる。
また、天井板２に形成されたスリット２ｄと本体部１０の上端に形成されたスリット１４とを係合させることで、天井板２は本体部１０に取り付けられている。したがって、連結具を用いることなく、天井板２を本体部１０に取り付けることができる。
【００３２】
また、本実施形態の組立式個室１では、複数枚のダンボール板（第１板部材１１と第２板部材１２）を連結すると共に、複数枚のダンボール板（第１板部材１１と第２板部材１２）を、連結部分を避けた位置（１１ｂ、１２ａ）で折り曲げ、平面視コの字形状に形成されているため、ダンボール板１枚当たりの大きさを小さくでき、取り扱いが容易になるとともに、大きな金型や製造装置を必要とすることがない等製造上も好ましいものとなる。
【００３３】
以上、本考案の好適な実施の形態について説明したが、本考案は上述の実施形態に限られるものではなく、実用新案登録請求の範囲に記載した限りにおいて様々な変更が可能である。
【００３４】
例えば、上記実施形態では、カーテンレール３の先端部は、Ｔ字状に形成されているが、カーテンレール３の先端部の形状は、溝部１８の幅より大きければ、これ以外の形状であってもよい。
【００３５】
上記実施形態では、補強部１６の壁部１６ａは、側壁１０ａ、１０ｃの本体部分に連結具５によって連結されているが、連結されていなくてもよい。
【００３６】
上記実施形態では、補強部１６は、矩形筒状に形成されているが、矩形以外の多角形状（例えば三角形状）の筒状に形成されていてもよい。補強部１６が三角筒状の場合、溝部１８は、三角形を構成する１つの面にのみ形成されていてもよく、２つの面にまたがって形成されていてもよい。
【００３７】
上記実施形態では、補強部１６は、左右側壁１０ａ、１０ｃの前端部を内側に折り曲げることで形成されており、本体部１０の内側に突出しているが、補強部１６は、左右側壁１０ａ、１０ｃの前端部を外側に折り曲げることで形成され、本体部１０の外側に突出していてもよい。
【００３８】
上記実施形態では、本体部１０は、２枚のダンボール板（第１板部材１１と第２板部１２）を連結して折り曲げることで形成されているが、１枚のダンボール板を折り曲げて形成してもよい。また、３枚以上のダンボール板を連結して、連結部分を避けた位置で折り曲げて形成してもよい。
【００３９】
上記実施形態では、天井板２のスリット１４と本体部１０のスリット１４とを係合させることで、天井板２を本体部１０に取り付けているが、天井板２を本体部１０に取り付けるための構成はこれ以外であってもよい。
【００４０】
上記実施形態では、天井板２は、本体部１０によって形成される空間の一部分のみを覆っているが、上記空間を全て覆っていてもよい。また、天井板２は設けなくてもよい。
【符号の説明】
【００４１】
１    組立式個室
２    天井板
２ｃ    突出部
２ｄ    スリット
３    カーテンレール
３ａ    棒部材
３ｂ    端末具
４    カーテン
１０    本体部
１０ａ、１０ｂ、１０ｃ    側壁
１４    スリット
１６    補強部
１８    溝部
【図１】
0003180324.tif 000003
【図２】
0003180324.tif 000004
【図３】
0003180324.tif 000005
【図４】
0003180324.tif 000006
【図５】
0003180324.tif 000007